(57)【要約】【課題】テラスや軒下に垂直に懸架された状態で取付される高さ調整用伸縮ポールを備えた物干し具において、該伸縮ポールの高さ調整用機構は、利用者が楽に手の届く物干し竿掛けアームに連繋して、確実に操作できる物干し具を具現化する。【解決手段】物干し竿を装架する竿掛けアームをテラス天井や軒天等から垂直に懸架する支持ポールは外ポールの中に内ポールが摺動可能に挿入された伸縮自在ポールであり、該伸縮自在ポールの内ポール内には外ポールに向かって突出し外部側ポールに設けられた係合孔に係合して内ポールの摺動を停止させるストッパー機構が内蔵されており、該ストッパー機構の嵌脱を動作する内ポールは下端部に竿掛けアームを保持し該竿掛けアームを上下動或いは回動機能を連結せしめることにより前記外ポールと内ポール間のストッパー機構の嵌脱を利用者が容易に手の届く位置にて任意に行えるように構成した。  【選択図】図４
2005279191.tif 000002
【特許請求の範囲】
【請求項１】
物干し竿を装架する竿掛けアームをテラス天井や軒天等から垂直に懸架する竿掛けアーム支持ポールは外ポールの中に内ポールが摺動可能に挿入された伸縮自在ポールであり、該伸縮自在ポールの内ポール上端部には外ポールに向かって突出し外ポールに設けられた係合孔に係合して内ポールの摺動を停止させるスプリング機構と突出片が設けられており、該突出片は内ポールを竿掛けアームを介して持ち上げることにより外ポールに穿たれた係合孔から抜脱して内ポールを収縮でき、前記外ポールの上部に穿たれた次の係合孔に係合して固定状態になるストッパー機構を有し、該ストッパー機構の嵌脱を動作する内ポールは下端部に前記竿掛けアームを保持し、該竿掛けアームを介して内ポールを上部へ移動或いは回動せしめることにより前記外ポールと内ポール間のストッパー機構の嵌脱操作並びに高さ調整を利用者が容易に手の届く位置にて任意に行えるように構成したことを特徴とする高さ調整用伸縮パイプを備えた物干し具。
【請求項２】
前記外ポールに穿たれるストッパー機構の係合孔にはカバーキャップが挿着され、該係合孔が外観上見えないよう構成したことを特徴とする請求項１記載の高さ調整用伸縮パイプを備えた物干し具。
【請求項３】
前記外ポールの上端部は予めテラス天井や軒天部等に取付られた嵌合吊り具に嵌着され懸架される嵌着金具が設置されており、該嵌合吊り具と嵌着金具は着脱自在に構成されていることを特徴とする請求項１または請求項２記載の高さ調整用伸縮パイプを備えた物干し具。
【発明の詳細な説明】
【技術分野】
【０００１】
本発明は、物干し竿を装架する一対の竿掛けアームをテラス天井や軒天等から垂直に懸架するタイプの物干し具に関するものであり、特に本発明は、前記物干し具において竿掛けアームの高さを容易に調整することのできる伸縮パイプを備えた物干し具に関するものである。
【背景技術】
【０００２】
テラス天井や軒天等から垂直に懸架された状態で取付される物干し具の高さ調整用伸縮ポールは、外ポールの中に内ポールが摺動可能に挿入された伸縮自在ポールであり、該伸縮自在ポールの伸縮調整後の固定方法は、外ポール、内ポールを任意の位置で、ダボ孔にダボを挿入し伸縮を固定し、該解除方法は指などでダボを押し込むことにより前記固定状態を解除していた。
【０００３】
また、蝶ネジや剣先ネジを用いて伸縮される内ポールの動きを規制して固定したりする方法等もあり、その従来例として、登録意匠第８９４４０４号意匠公報には、天井等に固着するブラケットを有した外ポールに、竿掛けアームを有した内ポールを高さ調整可能に挿入し、該内ポールを任意位置にて蝶ネジにて固定する物干し竿支持具が、提示されている。
【０００４】
然しながら、前記ネジ止めによる固定方法は、物干し具における竿掛けアームの高さを取付施工時に完全に固定化してしまうことが多い。
即ち、物干し具における高さ固定ネジ部は、下端に位置する竿掛けアームより、上方にあり、通常は踏み台等を利用しなければ、ネジ固定部に利用者の背が届かず、ネジ固定された伸縮自在ポールは、利用者が利用時に任意に高さ調整できるものではなく、上部より懸架され固定された物干し具、並びに物干し竿は、テラスを物干し以外で利用する際に頭上に注意を払わなくてはならない邪魔な物であった。
【特許文献１】登録意匠第８９４４０４号意匠公報
【発明の開示】
【発明が解決しようとする課題】
【０００５】
本発明が解決しようとする課題は、テラス天井や軒天等から垂直に懸架された状態で取付される高さ調整用伸縮ポールを備えた物干し具において、該伸縮ポールの高さ調整用機構は、利用者が楽に手の届く物干し竿掛けアーム付近に位置して、確実に操作できる物干し具を具現化するものである。
【０００６】
また、本発明の物干し具を利用者が利用する際には、竿掛けアームを少し回動することにより、高さ調整用伸縮ポールが伸長して、該高さ調整用伸縮ポール下部に設けられた竿掛けアームが下がり、楽に干し物を干すことができ、干し終わった後や、未使用時には、該竿掛けアームや物干し竿を上方に押し上げることができ、また竿掛けアームの支持ポールをテラス天井や軒天等より簡単に取り外すことができるので、テラスや軒下を物干し具の高さを気にせずに有効利用できる物干し具を提供する。
【課題を解決するための手段】
【０００７】
本発明は、物干し竿を装架する竿掛けアームをテラス天井や軒天等から垂直に懸架する竿掛けアームの支持ポールは外ポールの中に内ポールが摺動可能に挿入された伸縮自在ポールであり、該伸縮自在ポールの内ポールには外ポールに向かって突出し外ポールに設けられた係合孔に係合して内ポールの摺動を停止させるストッパー機構が内蔵されている。
【０００８】
そして、前記ストッパー機構の嵌脱を動作する内ポールは、下端部に物干し竿を装架する竿掛けアームを保持しており、利用者が容易に手が届く位置まで下げ降ろした形状になっている。従って、本発明にあっては、竿掛けアームを回動することで前記外ポールと内ポール間のストッパー機構の嵌脱を利用者が容易に手の届く位置にて任意に行えるように構成したことを主な特徴とする高さ調整用伸縮ポールを備えた物干し具である。
【０００９】
本発明は、物干し竿を装架する竿掛けアームをテラス天井や軒天等から垂直に懸架する竿掛けアーム支持ポールは外ポールの中に内ポールが摺動可能に挿入された伸縮自在ポールであり、該伸縮自在ポールの内ポール上端部には外ポールに向かって突出し外ポールに設けられた係合孔に係合して内ポールの摺動を停止させるスプリング機構と突出片が設けられている。
【００１０】
そして、該突出片は内ポールを竿掛けアームを介して持ち上げることにより外ポールに穿たれた係合孔から抜脱して内ポールを収縮でき、前記外ポールの上部に穿たれた次の係合孔に係合して固定状態になるストッパー機構を有し、該ストッパー機構の嵌脱を動作する内ポールは下端部に前記竿掛けアームを保持し、該竿掛けアームを介して内ポールを上部へ移動或いは回動せしめることにより前記外ポールと内ポール間のストッパー機構の嵌脱操作並びに高さ調整を利用者が容易に手の届く位置にて任意に行えるように構成した。
【００１１】
また、本発明は、前記外ポールに穿たれるストッパー機構用の係合孔外周部にはカバーキャップが挿着され、該係合孔が外観上見えないよう構成した。
【００１２】
更に、本発明は、前記外ポールの上端部は予めテラス天井や軒天部等に取付られた嵌合吊り具に嵌着され懸架される嵌着金具が設置されており、該嵌合吊り具と嵌着金具は着脱自在に構成されている。
【発明の効果】
【００１３】
斯くして、本発明は、テラス天井や軒天等から垂直に懸架された状態で取付される高さ調整用伸縮ポールを備えた物干し具において、該伸縮ポールの高さ調整用機構を操作する内ポールは下端部で竿掛けアームを支持し、利用者は楽に手の届く竿の掛けアームを回動することで、確実に高さ調整操作ができる物干し具を提供することができた。
【００１４】
また、本発明の物干し具を利用者が利用する際には、竿掛けアームを少し回動することにより、高さ調整用伸縮ポールが伸長して、該高さ調整用伸縮ポール下部に設けられた竿掛けアームが下がり、楽に干し物を干すことができ、干し終わった後や、未使用時には、該竿掛けアームや物干し竿を上方に押し上げることができるので、テラスや軒下を物干し具の高さを気にせずに有効利用できる。
【００１５】
更に、本発明にあっては、場合よっては、竿掛けアームを保持した高さ調整用伸縮ポールはテラス天井や軒天等から任意に取り外すことができ、テラス等を有効利用できる。
【００１６】
そして、本発明は、従来例の如く、固定用のネジ等が外ポール外観に飛び出すことがないので、洗濯物を引っ掛けたりすることがなく、外ポールに穿たれるストッパー機構の係合孔は前記外パイプの上下端部にあるので、樹脂等のキャップにて係止孔をカバーして隠してしまうことが容易で、意匠上、美観の優れたものになる。
【発明を実施するための最良の形態】
【００１７】
本発明に係る高さ調整用伸縮ポールを備えた物干し具において、物干し竿を装架する竿掛けアームをテラス天井や軒天等から垂直に懸架する竿掛けアームの支持ポールは、外ポールの中に内ポールが摺動可能に挿入された伸縮自在パイプであり、該伸縮自在ポール内に外ポールと内ポールのストッパー機構が設けられており、該ストッパー機構を動作する内ポールの下端部には竿掛けアームが保持されている。
【００１８】
そして、該ストッパー機構の嵌脱動作を操作する内ポールは、前記物干し竿を装架する竿掛けアームを下端部で保持し、該下端部に竿掛けアームを保持された竿掛けアームを回動せしめることにより前記外ポールと内ポール間のストッパー機構の嵌脱を利用者が容易に手の届く位置にて任意に行えるように構成したことを要旨とする。
【００１９】
そして、本発明に係る具体例を示すと、物干し竿を装架する竿掛けアームをテラス天井や軒天等から垂直に懸架する竿掛けアーム支持ポールは外ポールの中に内ポールが摺動可能に挿入された伸縮自在ポールであり、該伸縮自在ポールの内ポール上端部には外ポールに向かって突出し外ポールに設けられた係合孔に係合して内ポールの摺動を停止させるスプリング機構と突出片が設けられており、該突出片は内ポールを竿掛けアームを介して持ち上げることにより外ポールに穿たれた係合孔から抜脱して内ポールを収縮でき、前記外ポールの上部に穿たれた次の係合孔に係合して固定状態になるストッパー機構を有し、該ストッパー機構の嵌脱を動作する内ポールは下端部に前記竿掛けアームを保持し、該竿掛けアームを介して内ポールを上部へ移動或いは回動せしめることにより前記外ポールと内ポール間のストッパー機構の嵌脱操作並びに高さ調整を利用者が容易に手の届く位置にて任意に行えるように構成したことを要旨としている。
【００２０】
また、本発明においては、外ポールに穿たれるストッパー機構の係止片が係合する係合孔には、カバーキャップが挿着され、該係合孔が外観上見えないよう構成することや、外部側パイプの上端部は予めテラスや軒下部に取付られた嵌合吊り具に嵌着され懸架される嵌着金具が設置されており、該嵌合吊り具と嵌着金具は着脱自在に構成することもまたその要旨としている。
【実施例１】
【００２１】
図１乃至図３は実施例１の外観並びに動作説明図であり、図４乃至図７は実施例１のストッパー機構の動作を説明する要部断面図である。
【００２２】
図１乃至図７において、１は高さ調整用伸長ポールを備えた物干し具、２はテラスや軒下に取付るためのブラケット、３は外ポール、４は内ポール、５は竿掛けアーム、６a、６ｂ、６ｃ、６ｄは竿掛けアーム５に設けられた竿受け孔である。
【００２３】
而して図１は、外ポール３内に挿入されている内ポール４を一杯に伸長した状態を示し、該内ポール４の下端部には竿掛けアーム５が保持されている。図２は竿掛けアーム５を少し回動させ外ポール３内に内蔵された伸縮ストッパー機構７を解除した状態を示している。また図３は内ポール４を外ポール内に挿入して収縮が完了した状態を示しており、実用化された実施例１においては、天井から図１の状態で９００ｍｍ、収縮した図３の状態で６００ｍｍとなり、３００ｍｍの高さ調整のできる伸縮ポールを備えた物干し具１となっている。
【００２４】
而して、図４乃至図７は実施例１に於けるストッパー機構７を説明するもので、図において、３は外ポール、４は内ポールであり、外ポール３に挿入され摺動する内ポール４の上端部には嵌合緩衝材となる緩衝キャップ８が冠着されており、該緩衝キャップ８内にコイルスプリング９を介して突出片１０が突出可能に設置されたストッパー機構７を有している。
【００２５】
而して、図４の状態は、外ポール３に穿たれた係合孔１１に突出片１０が嵌着されており、内ポール４の伸縮が固定状態にある。また、実施例１における解除状態は図５の如く内ポール４をそのまま持ち上げて係合孔１１から突出片１０を解除する。図６、図７の状態は前記解除状態のまま竿掛けアーム５を約１０°ほど回動すると突出片９が係合孔１０からずれるので、次の係止孔迄伸縮可能な状態になることを示している。
【００２６】
斯くして、実施例１おいて、物干し竿を装架する竿掛けアーム５をテラス天井や軒天等から垂直に懸架する竿掛けアーム５の支持ポールは外ポール３の中に内ポール４が摺動可能に挿入された伸縮自在ポールであり、該伸縮自在ポールの内ポール４上端部には外ポール３に向かって突出し外ポール３に設けられた係合孔１０に係合して内ポール３の摺動を停止させるスプリング８と突出片９が設けられており、該突出片９は内ポール４を竿掛けアーム５を介して持ち上げることにより外ポール３に穿たれた係合孔１０から抜脱して内ポール４を収縮でき、前記外ポール３の上部に穿たれた次の係合孔（図示せず）に係合して固定状態になるストッパー機構７を有し、該ストッパー機構７の嵌脱を動作する内ポール４は下端部に前記竿掛けアーム５を保持し、該竿掛けアーム５を介して内ポール４を上部へ移動或いは回動せしめることにより前記外ポール３と内ポール４間のストッパー機構の嵌脱操作並びに高さ調整を利用者が容易に手の届く位置にて任意に行えるよう構成した。
【００２７】
また、前記外部側パイプ３に穿たれるストッパー機構７の係合孔１１にはカバーキャップ１２が挿着され、該係合孔１１が外観上見えないよう構成した。
更に、実施例１においては、図８に示す如く、前記外ポール３の上端部は予めテラスや軒下部に取付られた嵌合吊り具１３に嵌着され懸架される嵌着金具１４
が設置されており、該嵌合吊り具１２と嵌着金具１３は任意に着脱自在に構成されていて、必要に応じ全体を片づけることができる。
【産業上の利用可能性】
【００２８】
而して本発明は、テラス天井や軒天等から垂直に懸架された状態で取付される高さ調整用伸縮ポールを備えた物干し具において、該伸縮ポールの高さ調整用機構は、利用者が楽に手の届く物干し竿掛けアーム付近に位置して、確実に操作できる物干し具を提供することができた。
【００２９】
また、本発明の物干し具を利用者が利用する際には、竿掛けアームを少し動かしたり、回動することにより、高さ調整用伸縮パイプが伸長して、該高さ調整用伸縮パイプ下部に設けられた竿掛けアームが下がり、楽に干し物を干すことができ、干し終わった後や、未使用時には、該竿掛けアームや物干し竿を上方に押し上げることができるので、テラスや軒下を物干し具の高さを気にせずに有効利用できる。
【００３０】
そして、本発明は、従来例の如く、固定用のネジ等が外部側パイプ外観に飛び出すことがないので、洗濯物を引っ掛けたりすることがなく、外部側パイプに穿たれるストッパー機構の係止孔は前記外部側パイプの両端部にあるので、樹脂等のキャップにて係止孔をカバーして隠してしまうことが容易で、意匠上、美観の優れたものになる等の多大な効果を有し、本発明は産業上の利用価値が顕著である。
【図面の簡単な説明】
【００３１】
【図１】本発明の実施例１を示す外観並びに動作説明図である。
【図２】本発明の実施例１を示す外観並びに動作説明図である。
【図３】本発明の実施例１を示す外観並びに動作説明図である。
【図４】実施例１のストッパー機構動作説明図である。
【図５】実施例１のストッパー機構動作説明図である。
【図６】実施例１のストッパー機構動作説明図である。
【図７】実施例１のストッパー機構動作説明図である。
【図８】本発明の実施例２を示す外観並びに動作説明図である
【符号の説明】
【００３２】
１  物干し具  
２  ブラケット  
３  外ポール
４  内ポール
５  竿掛けアーム
６a、６ｂ、６ｃ、６ｄ  竿受け孔  
７  ストッパー機構
８  緩衝キャップ  
９  コイルスプリング
１０  突出片  
１１  係合孔
１２  カバーキャップ
１３  嵌合吊り具
１４  嵌着金具
【図１】
2005279191.tif 000003
【図２】
2005279191.tif 000004
【図３】
2005279191.tif 000005
【図４】
2005279191.tif 000006
【図５】
2005279191.tif 000007
【図６】
2005279191.tif 000008
【図７】
2005279191.tif 000009
【図８】
2005279191.tif 000010